(57)【要約】【課題】  地盤に鋼管杭を貫入する際に所定深度毎に検出される各種情報を記憶するように構成した杭施工管理装置を提供する。【解決手段】  鋼管杭を貫入する施工ポイントに対応する杭番号を入力し、杭番号別に鋼管杭貫入時に検出される情報を順次記憶するように構成し、操作部２から同一杭番号が入力されると、検出される情報を先に記憶された情報に続いて記憶している。そのため、杭番号毎に情報を収集でき、情報の取り出しが容易となり、作業者が施工ポイントの施工順序を記憶する必要がなく、情報の加工ミスが皆無となる。また、操作部２から同一の杭番号が入力されると、情報検出時の施工深度とその施工ポイントでの最大深度とから得られる新たな施工深度に対して情報を表示している。そのため、情報検出時の施工深度と前回の情報に連続して表示できる。【選択図】図１
2006299669.tif 000002
【特許請求の範囲】
【請求項１】
鋼管杭を貫入する施工ポイントを入力する操作部を備え、施工ポイント別に鋼管杭貫入時に検出される少なくとも１個の情報を順次記憶部に記憶するように構成した杭施工管理装置において、
操作部から同一施工ポイントが入力されると、検出される情報を先に記憶された情報に続いて記憶するように構成したことを特徴とする杭施工管理装置。
【請求項２】
鋼管杭を貫入する施工ポイントを入力する操作部を備え、施工ポイント別に鋼管杭貫入時に検出される少なくとも１個の情報を順次記憶部に記憶するように構成した杭施工管理装置において、
操作部から同一の施工ポイントが入力されると、情報検出時の施工深度にその施工ポイントでの前杭最大深度を加算して新たな施工深度を得て、この新たな施工深度に対して情報を表示するように構成したことを特徴とする杭施工管理装置。
【発明の詳細な説明】
【技術分野】
【０００１】
本発明は、地盤に鋼管杭を回転させながらまたは打設したりして貫入する際に所定深度毎に検出される回転トルク、押し込み力、１回転あたりの貫入量あるいは所定深度あたりの打設回数等の各種情報を記憶し、適時これら情報を表示するように構成した杭施工管理装置に関する。
【背景技術】
【０００２】
最近、地盤の軟弱な敷地に住宅を建設する場合、確実な支持力が得られることから、鋼管杭工法を用いて住宅用基礎を構築する施工方法が広く行われている。この種の施工方法では、その支持力を確認するため、杭打ち機の回転トルク、押し込み力あるいは１回転あたりの貫入量または所定深度あたりの打設回数等の各種情報を検出してこれらを記憶する杭施工管理装置が使用されている。この杭施工管理装置では、各種情報が所定深度毎に記憶されると同時に、表示部でリアルタイムで表示され、各情報を監視しながらの杭施工が可能となっている。
【０００３】
【特許文献１】特開平１１−３０３０７０号
【発明の開示】
【発明が解決しようとする課題】
【０００４】
この杭施工管理装置では、鋼管杭が施工ポイントで１本である時には問題ないが、地盤に貫入された鋼管杭に連接して新たな鋼管杭を貫入する場合には、同一施工ポイントであっても、鋼管杭毎に情報が記憶される。そのため、これら情報を呼出したり、表示するのに時間がかかるばかりか、各施工ポイントでの各種情報を集計する場合には、作業者が各施工ポイントの施工順序を記憶し、この施工順序から手作業で記憶された情報を集計し、施工ポイント毎の一連の施工深度に対する情報に加工しなければならない。この集計時に情報の加工ミスが発生することがあり、地盤の支持力を確認する際には、加工された情報が極めて信頼性の低いものとなる等の欠点が生じている。また、この杭施工管理装置では連接元の鋼管杭施工時の情報は表示されず、新たに連接された鋼管杭の情報が表示されるに過ぎない。そのため、作業者が支持層を確認する際に前回施工時の情報を把握できず、正確な判断ができない等の欠点が生じている。
【課題を解決するための手段】
【０００５】
上記課題の解決を目的として本発明は、鋼管杭を貫入する施工ポイントを入力する操作部を備え、施工ポイント別に鋼管杭貫入時に検出される少なくとも１個の情報を順次記憶部に記憶するように構成した杭施工管理装置において、操作部から同一施工ポイントが入力されると、検出される情報が先に記憶された情報に続いて記憶されるように構成されている。
【０００６】
また、本発明は鋼管杭を貫入する施工ポイントを入力する操作部を備え、施工ポイント別に鋼管杭貫入時に検出される少なくとも１個の情報を順次記憶部に記憶するように構成した杭施工管理装置において、操作部から同一の施工ポイントが入力されると、情報検出時の施工深度にその施工ポイントでの前杭最大深度を加算して新たな施工深度を得て、この新たな施工深度に対して情報を表示するように構成されている。
【発明の効果】
【０００７】
本発明によれば、地盤に貫入された鋼管杭に連接して鋼管杭を貫入する際には、操作部から同一施工ポイントが入力されるので、検出される情報は先に施工された施工ポイントの情報に続いて記憶でき、この施工ポイントでの情報の呼出しを簡単に行うことができるばかりか、作業者が施工ポイントの施工順序を記憶する必要がなく、情報の加工ミスが皆無となる。また、情報検出時の施工深度とその施工ポイントでの前杭最大深度とから新たな施工深度が算出でき、この新たな施工深度に対して各種情報を表示できるので、前回施工時の情報に連続して情報を表示でき、支持層確認を正確に行うことができる。
【発明を実施するための最良の形態】
【０００８】
以下、本発明を実施するための最良の形態を図面に基づいて説明する。図１において、１は杭打ち機（図示せず）により地盤に鋼管杭（図示せず）を回転させながら貫入する杭打ち工法の杭施工管理装置であり、テンキー部（図示せず）および各種指令信号を入力する操作キー類並びに各種データを表示する表示面２ａを備えた操作部２と、各指令信号を受けて動作する制御部３と、杭打ち機に付設された検出手段４が接続される入出力部５と、検出手段４により検出される深度データ、回転トルク、押し込み力、１回転あたりの貫入量等の各種情報を記憶する記憶部６と、情報の一括印刷指令信号により作動するプリンタ部（図示せず）とからなっている。前記操作キー類は、深度零キー２ｂ、開始キー２ｃ、深度間隔キー２ｄ、最深キー２ｅおよび終了キー２ｆでなっている。前記深度零キー２ｂは、施工深度零リセット信号を出力するとともに番号選択キー表示指令信号を出力するように構成され、開始キー２ｃは各種情報の読み込みを開始する開始指令信号を出力するとともに開始キー２ｃを中断キー２ｇに切替える表示切替え指令信号を操作部２に出力するように構成されている。また、前記深度間隔キー２ｄは情報がサンプリングされる深度間隔を設定可能にする深度間隔設定信号を出力し、最深キー２ｅは最大深度を最終深度として読取る最深読取り指令信号を出力するように構成されている。さらに、終了キー２ｆは後記する表示フラグおよび最大深度並びに杭番号に対する中断フラグをリセットする終了指令信号を出力するとともに、記憶された情報の一括印刷指令信号をプリンタ部に出力するように構成されている。また、前記操作キー類は開始キー２ｃと入れ替わり表示される中断キー２ｇを備えており、この中断キー２ｇは中断指令信号を制御部３に出力する一方で、表示切替え指令信号を出力するように構成されている。
【０００９】
前記操作部２は、制御部３から施工深度およびその他の情報とともに表示指令信号を受けると、これを施工深度に対する値として表示面２ａに表示する一方、制御部３から杭番号とともに番号表示指令信号を受けると、杭番号に対する番号選択キー２ｈを表示面２ａに表示するように構成されている。この番号選択キー２ｈは、対応する杭番号を制御部３に送る一方で、中断キー２ｇあるいは終了キー２ｆにより表示面２ａから消去されるように構成されている。また、前記操作部２は制御部３から表示切り替え指令信号を受けると、開始キー２ｃ、中断キー２ｇを交互に表示するように構成されている。
【００１０】
前記記憶部６は、取り出し可能なメモリカード６ａを有しており、このメモリカード６ａに記憶された情報がパーソナルコンピュータ（図示せず）等で加工され、グラフ化可能に構成されている。
【００１１】
前記制御部３は、電源が投入されると、図２および図３に示すように、
１）施工深度零リセット信号を待つ。
２）施工深度を零リセットする。
３）記憶部から中断フラグを持つ杭番号を呼出し、これがない時、５）にジャンプする。
４）杭番号に対応する番号選択キー表示指令信号を操作部に送る。
５）番号選択キーからの番号入力がないか否かを判断し、これがある時、９）にジャンプする。
６）テンキー部からの入力があるか否かを判断し、これがない時、５）に戻る。
７）テンキー部からの入力値を杭番号として記憶部に記憶する。
８）杭番号に対する記憶領域の空きアドレスを設定し、１０）にジャンプする。
９）番号選択キーに対応して記憶された施工深度およびその他の情報を呼出し、これを表示指令信号とともに操作部に送る（表示フラグをセット）。
１０）深度間隔設定信号を待ち、これがない時、１３）にジャンプする。
１１）テンキー部からの入力を待つ。
１２）サンプリングの深度間隔を呼出し、この深度間隔＝入力値とする。
１３）開始指令信号の有無を判断し、これがない時、１０）に戻る。
１4）表示切替え指令信号を操作部に出力する。
１５）深度カウンタをリセット。
１６）検出手段から送信される深度データを読み込み、これを深度カウンタで計数するとともに、検出手段から送信されるその他の情報を読み込み、これらを一時記憶する。
１７）深度カウンタ値が所定深度間隔に達したか否かを判断し、これが所定深度間隔に達しない時、１６）に戻る。
１８）一時記憶された情報を記憶部（呼出された空きアドレス、あるいは新しく設定された空きアドレス）に記憶する。
１９）施工深度＝施工深度+深度カウンタ値
２０）表示フラグがセットされているか否かを判断し、これがセットされてない時、２  ２）にジャンプする。
２１）杭番号に対応する前杭最大深度を呼出し、施工深度＝施工深度＋前杭最大深度として新たな施工深度を算出する。
２２）施工深度および一時記憶されたその他の情報並びに表示指令信号を操作部に送る。
２３）最大深度＝施工深度とするとともに、この最大深度を一時記憶する。
２４）中断指令信号の有無を判断し、これがない時、２６）にジャンプする。
２５）前杭最大深度＝最大深度として杭番号別に記憶部に記憶するとともに、表示フラグおよび最大深度をリセットする一方、杭番号に対して中断フラグをセットし、さらに表示切替え指令信号を操作部に出力し、１）に戻る。
２６）最深読取り指令信号の有無を判断し、これがない時、２８）にジャンプする。
２７）最大深度を最終深度として読み込み、これを杭番号別に記憶部に記憶するとともに、表示指令信号を操作部に送る。
２８）終了指令信号の有無を判断し、これがない時、１５）に戻る。
２９）情報一括印刷指令信号をプリンタ部に出力する。
３０）表示フラグ、最大深度および杭番号に対する中断フラグをリセットする。
３１）エンド。
となるように構成されている。
【００１２】
上記杭施工管理装置では、地盤に１本目の鋼管杭を打ち込む場合には、杭打ち機が作動した後、操作部２の深度零キー２ｂが押圧され、施工深度が零リセットされる。同時に、杭番号に対する中断フラグの有無が判断されるが、１本目の鋼管杭の場合には、中断フラグを持つ杭番号はないので、操作部２に番号選択キー表示指令信号は送られない。この状態で、テンキー部からの入力があると、その入力値が杭番号として記憶部６に記憶される。続いて、開始キー２ｃが押圧されると、開始キー２ｃは中断キー２ｇに切替えられるとともに、ただちに検出手段４から送信される深度データが読み込まれ、これが深度カウンタで計数され、続いて回転トルク、１回転あたりの貫入量等その他の情報が読み込まれて一時記憶される。同時に深度カウンタ値が所定深度間隔となったか否かが判断され、前記情報の一時記憶が繰り返される。前記深度カウンタ値が所定深度間隔に達すると、一時記憶された各種情報が記憶部６内の杭番号に対して新たに設定された空きアドレスに記憶される。この時、施工深度に深度カウンタ値が加算され、新たな施工深度が算出される。同時に、これら情報が操作部２に送られ、その表示面２ａに施工深度に対する情報としてリアルタイムで表示される。また、前記施工深度がこの時点の最大深度として一時記憶される。
【００１３】
その後、杭打ち機が１本目の鋼管杭の貫入を完了して貫入作業を中断すると、作業者により操作部２の中断キー２ｇが押圧され、前記最大深度が前杭最大深度として杭番号別に記憶されるとともに、杭番号に対する中断フラグがセットされる。さらに、操作部２に表示切替え指令信号が送られ、中断キー２ｇに代り、開始キー２ｃが表示され、次の施工ポイントでの作業に備える。
【００１４】
前記杭打ち機が移動して、次の施工ポイントでの貫入作業が行われる間に、打ち込みの完了した鋼管杭に新たな鋼管杭が連接される。次の施工ポイントでの杭施工が完了した後、最初の施工ポイントに杭打ち機が戻り、連接された鋼管杭の打ち込み作業が開始される。その後、操作部２の深度零キー２ｂが押圧されると、杭番号に対する中断フラグの有無が判断され、中断フラグを持つ杭番号に対応する番号選択キー２ｈの表示指令信号が操作部２に送られ、操作部２の画面上に番号選択キー２ｈが表示される。この状態で、施工ポイントに対応する番号選択キー２ｈが押圧され、この番号選択キー２ｈから送られる杭番号に対して、記憶部６に記憶された情報に続く空きアドレスが呼出される。同時に、番号選択キー２ｈから送られる杭番号に対して、記憶部６に記憶された施工深度およびその他の情報が呼出されて、表示指令信号とともに操作部２に送られ、施工深度に対する情報として表示面２ａに表示される（表示フラグをセット）。
【００１５】
その後、開始キー２ｃが押圧されると、１本目の鋼管杭の場合と同様に、深度データが他の情報とともに読み込まれ、これらが所定深度間隔で記憶部６の空きアドレスに記憶される。また、所定深度間隔毎に同一杭番号に対する前杭最大深度が呼出され、これと施工深度とから新たな施工深度が算出され、この施工深度が最大深度として一時記憶される。さらに、この施工深度と一時記憶された他の情報とが操作部２に送られ、表示面２ａに表示された情報に連続して表示される。
【００１６】
この動作が繰り返し行われ、連接された鋼管杭の打ち込みが完了すると、１本目同様に中断キー２ｇが押圧され、前述した処理が行われる。また、２本目あるいは３本目の貫入途中で地盤が固くなり、鋼管杭の貫入が停止し、杭打ち機が停止すると、最深キー２ｅが押圧されて最大深度が最終深度として読み込まれ、記憶部６に杭番号別に記憶されるとともに、これが表示指令信号とともに操作部２に送られて表示面２ａに表示される。その後、操作部２の終了キー２ｆが押圧され、終了指令信号が出力されると、プリンタ部に情報の一括印刷指令信号が出力され、記憶部６に記憶された情報が一括印刷される。また、同時に、表示フラグ、最終深度および各杭番号に対する中断フラグがリセットされ、次回の杭施工に備えることができる。
【００１７】
なお、サンプリンングの深度間隔を変更する場合には、深度間隔キー２ｄを押圧し、テンキー部から所定数値を入力すると、その入力値がサンプリングの深度間隔にセットされ、その深度間隔が変更される。また、杭打ち機が打設方式である場合、所定深度当たりの打設数を情報として記憶するようにしてもよい。
【図面の簡単な説明】
【００１８】
【図１】本発明の杭施工管理装置の構成を示すブロック図である。
【図２】本発明に係る制御部の前半部の動作を説明するフローチャートである。
【図３】本発明に係る制御部の後半部の動作を説明するフローチャートである。
【符号の説明】
【００１９】
１  杭施工管理装置
２  操作部
２ａ  表示面
２ｂ  深度零キー
２ｃ  開始キー
２ｄ  深度間隔キー
２ｅ  最深キー
２ｆ  終了キー
２ｇ  中断キー
２ｈ  番号選択キー
３  制御部
４  検出手段
５  入出力部
６  記憶部
６ａ  メモリカード
【図１】
2006299669.tif 000003
【図２】
2006299669.tif 000004
【図３】
2006299669.tif 000005